(57)【要約】      （修正有）【課題】閉鎖した戸を自動的に施錠できる機能を備え、尚且つ竪框の見付寸法を小さくできる建具の提供。【解決手段】開き戸７を開閉自在に支持する枠５の竪枠４ａに取付けたラッチ機構１４と、開き戸の竪框１０の見付面にラッチ機構に対向して取付けたストライク１７と、竪框に取付けた室内ハンドルと室外ハンドル１９、及び連動機構２２とを備える。ラッチ機構のトリガー１６は、竪枠の見付面から突出方向に付勢して設けてあり、開き戸の閉鎖時にストライクに当接してトリガーが竪枠内に没入するのに連動して、鎌片１５が突出してストライクと係合し、ラッチカム４３は鎌片がストライクとの係合が外れる方向へ回動するのを規制する。室内ハンドル及び室外ハンドルを操作すると連動機構の連動棒５３が突出してスライダー５０先端を押すことにより、スライダーが後退し、ラッチカムが鎌片の回動を規制しない解除位置に移動して、鎌片の回動の規制が解除される。【選択図】図１
2008019600.tif 000002
【特許請求の範囲】
【請求項１】
開き戸を開閉自在に支持する枠の竪枠に取付けたラッチ機構と、開き戸の竪框の見付面にラッチ機構に対向して取付けたストライクと、竪框に取付けた室内ハンドル、室外ハンドル、及び連動機構とを備え、ラッチ機構は、トリガーと鎌片とスライダーとラッチカムとを有し、トリガーは、竪枠の見付面から出没自在に且つ突出方向に付勢して設けてあり、開き戸の閉鎖時にストライクに当接して竪枠内に没入するものであり、鎌片は、左右方向の軸で回動自在に軸支してあり、トリガーが竪枠から突出しているときに竪枠内に収納され、トリガーが竪枠内に没入するのに連動して竪枠の見付面から突出してストライクと係合するものであり、スライダーは、竪框の見付面に対して進退自在に且つ前進方向に付勢して設けてあり、ラッチカムは、鎌片がストライクと係合したときにストライクとの係合が外れる方向への鎌片の回動を規制すると共に、スライダーの後退移動に連動して鎌片の回動を規制しない解除位置に移動するものであり、連動機構は、室内ハンドル及び室外ハンドルの操作をラッチ機構に伝えるものであって、室内ハンドル及び室外ハンドルを操作したときに竪框の見付面から突出する連動棒を有しており、連動棒が突出してスライダー先端を押すことによりスライダーが後退し、鎌片の回動の規制が解除されることを特徴とする建具。
【請求項２】
引戸を開閉自在に支持する枠の竪枠に取付けたラッチ機構と、引戸の竪框の見込み面にラッチ機構に対向して取付けたストライクと、竪框に取付けた室内ハンドル、室外ハンドル、及び連動機構とを備え、ラッチ機構は、トリガーと鎌片とスライダーとラッチカムとを有し、トリガーは、竪枠の見込み面から出没自在に且つ突出方向に付勢して設けてあり、引戸の閉鎖時にストライクに当接して竪枠内に没入するものであり、鎌片は、室内外方向の軸で回動自在に軸支してあり、トリガーが竪枠から突出しているときに竪枠内に収納され、トリガーが竪枠内に没入するのに連動して竪枠の見込み面から突出してストライクと係合するものであり、スライダーは、竪框の見込み面に対して進退自在に且つ前進方向に付勢して設けてあり、ラッチカムは、鎌片がストライクと係合したときにストライクとの係合が外れる方向への鎌片の回動を規制すると共に、スライダーの後退移動に連動して鎌片の回動を規制しない解除位置に移動するものであり、連動機構は、室内ハンドル及び室外ハンドルの操作をラッチ機構に伝えるものであって、室内ハンドル及び室外ハンドルを操作したときに竪框の見込み面から突出する連動棒を有しており、連動棒が突出してスライダー先端を押すことによりスライダーが後退し、鎌片の回動の規制が解除されることを特徴とする建具。
【請求項３】
ラッチ機構は、スライダー保持カムとスライダー保持解除部材とを備え、スライダー保持カムは、スライダーに設けた係止部に係止する被係止部を有し、スライダーが連動棒に押されて後退したときにスライダーの係止部と被係止部が係止してスライダーを後退位置に保持するものであり、スライダー保持解除部材は、竪枠から竪框に向けて突出自在で且つ突出方向に付勢して設けてあり、戸が開くのに伴ってスライダー保持解除部材が竪枠から突出する方向に移動するとともにスライダー保持カムをスライダーの係止が解除する方向に移動することを特徴とする請求項１又は２記載の建具。
【発明の詳細な説明】
【技術分野】
【０００１】
本発明は、閉鎖した戸を自動的に施錠できる建具に関する。
【背景技術】
【０００２】
従来の開き戸は、戸先側の竪框にラッチ機構を組み込んであり、ラッチ機構は前記竪框の見込み面から出没するラッチボルトを有し、戸を閉めるとラッチボルトが竪枠の見込み面に設けたストライクと係合し、戸が自然に開かないように自動的に施錠される。戸を開けるときは、前記竪框の室内側又は室外側に取り付けたハンドルを操作してラッチボルトを引っ込めて戸を開けるようにしている。
【０００３】
また引戸の錠では、特許文献１に記載されているように、戸先側の竪框に組み込む錠ケースに、前記竪框の見込み面から出没する鎌片とトリガーを有し、戸を開けた状態ではトリガーが突出していると共に鎌片が前記竪框内に収納されており、戸を閉めるとトリガーが竪枠に設けたストライクに当たって引っ込み、これに連動して鎌片が前記竪框見込み面から突出してストライクと係合し、戸が自動的に施錠されるようにしたものがある。  
【特許文献１】特開２００２−２２０９５５号公報
【発明の開示】
【発明が解決しようとする課題】
【０００４】
以上に述べたように、従来は開き戸と引戸の何れにおいても、戸先側の竪框にラッチ機構を組み込む関係で、竪框の見付寸法を小さくできなかった。本発明は、閉鎖した戸を自動的に施錠できる機能を備え、尚且つ竪框の見付寸法を小さくできる建具の提供を目的とする。
【課題を解決するための手段】
【０００５】
上記の課題を達成するために請求項１記載の発明による建具は、開き戸を開閉自在に支持する枠の竪枠に取付けたラッチ機構と、開き戸の竪框の見付面にラッチ機構に対向して取付けたストライクと、竪框に取付けた室内ハンドル、室外ハンドル、及び連動機構とを備え、ラッチ機構は、トリガーと鎌片とスライダーとラッチカムとを有し、トリガーは、竪枠の見付面から出没自在に且つ突出方向に付勢して設けてあり、開き戸の閉鎖時にストライクに当接して竪枠内に没入するものであり、鎌片は、左右方向の軸で回動自在に軸支してあり、トリガーが竪枠から突出しているときに竪枠内に収納され、トリガーが竪枠内に没入するのに連動して竪枠の見付面から突出してストライクと係合するものであり、スライダーは、竪框の見付面に対して進退自在に且つ前進方向に付勢して設けてあり、ラッチカムは、鎌片がストライクと係合したときにストライクとの係合が外れる方向への鎌片の回動を規制すると共に、スライダーの後退移動に連動して鎌片の回動を規制しない解除位置に移動するものであり、連動機構は、室内ハンドル及び室外ハンドルの操作をラッチ機構に伝えるものであって、室内ハンドル及び室外ハンドルを操作したときに竪框の見付面から突出する連動棒を有しており、連動棒が突出してスライダー先端を押すことによりスライダーが後退し、鎌片の回動の規制が解除されることを特徴とする。
【０００６】
請求項２記載の発明による建具は、引戸を開閉自在に支持する枠の竪枠に取付けたラッチ機構と、引戸の竪框の見込み面にラッチ機構に対向して取付けたストライクと、竪框に取付けた室内ハンドル、室外ハンドル、及び連動機構とを備え、ラッチ機構は、トリガーと鎌片とスライダーとラッチカムとを有し、トリガーは、竪枠の見込み面から出没自在に且つ突出方向に付勢して設けてあり、引戸の閉鎖時にストライクに当接して竪枠内に没入するものであり、鎌片は、室内外方向の軸で回動自在に軸支してあり、トリガーが竪枠から突出しているときに竪枠内に収納され、トリガーが竪枠内に没入するのに連動して竪枠の見込み面から突出してストライクと係合するものであり、スライダーは、竪框の見込み面に対して進退自在に且つ前進方向に付勢して設けてあり、ラッチカムは、鎌片がストライクと係合したときにストライクとの係合が外れる方向への鎌片の回動を規制すると共に、スライダーの後退移動に連動して鎌片の回動を規制しない解除位置に移動するものであり、連動機構は、室内ハンドル及び室外ハンドルの操作をラッチ機構に伝えるものであって、室内ハンドル及び室外ハンドルを操作したときに竪框の見込み面から突出する連動棒を有しており、連動棒が突出してスライダー先端を押すことによりスライダーが後退し、鎌片の回動の規制が解除されることを特徴とする。
【０００７】
請求項３記載の発明による建具は、請求項１又は２記載の発明の構成に加え、ラッチ機構は、スライダー保持カムとスライダー保持解除部材とを備え、スライダー保持カムは、スライダーに設けた係止部に係止する被係止部を有し、スライダーが連動棒に押されて後退したときにスライダーの係止部と被係止部が係止してスライダーを後退位置に保持するものであり、スライダー保持解除部材は、竪枠から竪框に向けて突出自在で且つ突出方向に付勢して設けてあり、戸が開くのに伴ってスライダー保持解除部材が竪枠から突出する方向に移動するとともにスライダー保持カムをスライダーの係止が解除する方向に移動することを特徴とする。
【発明の効果】
【０００８】
請求項１記載の発明による建具は、戸が開き戸の場合であり、ラッチ機構を竪枠に、ストライクを竪框に取付けたので、竪框の見付寸法を小さくすることができる。戸が閉まると、鎌片が竪枠の見付面から突出してストライクと係合し、且つラッチカムがストライクとの係合が外れる方向への鎌片の回動を規制するため、自動的に施錠できる。また、竪框には室内ハンドルと室外ハンドルの動きを竪枠のラッチ機構に伝える連動機構を取付けてあり、室内ハンドル及び室外ハンドルを操作すると連動棒が竪框の見付面から突出し、連動棒がスライダー先端を押してスライダーを後退させ、これに伴ってラッチカムが鎌片の回動を規制しない解除位置に移動するため、従来通り室内ハンドル及び室外ハンドルを操作して鎌片とストライクの係合を解除し、戸を開けることができる。さらに、戸の閉鎖時に鎌片が竪枠の見付面から突出して竪框の見付面に取付けたストライクに係合するため、従来の開き戸のラッチボルトよりもこじ開けに対して堅固となる。また、竪框と竪枠の見付面同士の間でラッチ機構による施錠を行うようにしたことで、開き戸を嵌め殺し窓等と連窓にする場合でも、ラッチ機構が隣の窓に影響を及ぼさないため、開き戸と隣の窓の竪框や竪枠を合わせた見付寸法の小さいすっきりした意匠を実現できる。
【０００９】
請求項２記載の発明による建具は、戸が引戸の場合であり、ラッチ機構を竪枠に、ストライクを竪框に取付けたので、竪框の見付寸法を小さくすることができる。戸が閉まると、鎌片が竪枠の見込み面から突出してストライクと係合し、且つラッチカムがストライクとの係合が外れる方向への鎌片の回動を規制するため、自動的に施錠できる。また、竪框には室内ハンドルと室外ハンドルの動きを竪枠のラッチ機構に伝える連動機構を取付けてあり、室内ハンドル及び室外ハンドルを操作すると連動棒が竪框の見込み面から突出し、連動棒がスライダー先端を押してスライダーを後退させ、これに伴ってラッチカムが鎌片の回動を規制しない解除位置に移動するため、室内ハンドル及び室外ハンドルを操作して鎌片とストライクの係合を解除し、戸を開けることができる。
【００１０】
請求項３記載の発明による建具は、スライダーが連動棒に押されて後退したときにスライダーの係止部がスライダー保持カムの被係止部に係止してスライダーが後退位置で保持され、戸が開くのに伴ってスライダー保持解除部材が竪枠から突出する方向に移動するとともにスライダー保持カムをスライダーの係止が解除する方向に移動し、スライダーの後退位置での保持が解除されるようにしたので、戸が開き始めて鎌片が収納される間、ラッチカムを一時的に解除位置に保持し、戸が開いたときに鎌片を確実に竪枠内に収納できる。
【発明を実施するための最良の形態】
【００１１】
以下、本発明の実施の形態を図面に基づいて説明する。図６〜図８は、住宅等の壁面の大開口部にテラス等の室外空間に面して設置されるテラス用サッシを示している。このサッシは、図６に示すように、上枠１と下枠２と左右の端部竪枠３，３を方形に枠組みするとともに、上下枠１，２間に３本の中間竪枠４ａ，４ｂ，４ｃを架設して枠５が形成され、左右方向に並んで形成された枠５の４つの開口部のうち、中央寄りの２つの開口部にはガラスパネル６，６が嵌め殺し窓状に取付けてあり、左右両側の開口部には、室外側に開く開き戸７，７が取付けてある。
【００１２】
右側の開き戸７は、図７と図８に示すように、上框８と下框９と左右の竪框１０，１１を四方框組みしてなる枠内にガラスパネル１２を取付けて形成してあり、右側の竪框１１側の上下端部をピボットヒンジ１３ａ，１３ｂで上枠１と下枠２に支持し、室外側に開くように枠５に取付けてある。左右の竪框１０，１１は、見付寸法Ｓが２７．５ｍｍと非常に小さくなっており、図８に示すように、開き戸７を閉鎖した状態では、左右の竪框１０，１１は室内側から見て中間竪枠４ａと端部竪枠３に隠れて見えなくなる。中間竪枠４ａの内部には、図８に示すように、室外側に面してラッチ機構１４が組み込んであり、左側の竪框１０（以後、戸先框１０）の室内側見付面にはラッチ機構１４の鎌片１５とトリガー１６を受けるストライク１７が取付けてあり、開き戸７が閉鎖したときにはラッチ機構１４の鎌片１５が竪枠４ａの室外側見付面から突出してストライク１７と係合し、自動的に施錠されるようにしている。また、戸先框１０の室内側には室内ハンドル１８が、室外側には室外ハンドル１９がそれぞれ取付けてあり、開き戸７を開ける際には室内ハンドル１８又は室外ハンドル１９を操作してラッチ機構１４による施錠を解除できるようにしてある。開き戸７の閉鎖は、上枠１と上框８の室内側見付面に跨って取付けたドアクローザ２０により自動的になされる。上記のラッチ機構１４による施錠は、ハンドル操作により解錠するいわゆる空錠であり、開き戸７の本施錠は、中間竪枠４ａの見込み面に取付けたサムターン２１（図６参照）を操作して、中間竪枠４ａ内に取付けた鎌錠（図示省略）の鎌片を室外側に突出させ、戸先框１０の室内側見付面に取付けたストライク（図示省略）に係合することにより行う。
以下、本発明の主要部であるラッチ機構１４、ストライク１７、室内及び室外ハンドル１８，１９、及び両ハンドルの操作をラッチ機構１４に伝える連動機構２２の構造について、図１〜図５に基づいて詳細に述べる。
【００１３】
ストライク１７は、図１と図３（ａ）に示すように、トロヨケ２３と、化粧板２４と、鎌係合金具２５とを備えている。トロヨケ２３は、室内側に向けて開口する凹部２６を有し、戸先框１０の室内側見付面に形成した開口部を内側から塞ぐように配置してあり、トロヨケ２３と化粧板２４とで戸先框１０の室内側壁を挟んでネジ２７で取付けてある。化粧板２４は、ラッチ機構１４の鎌片１５が出入りする切り欠き孔２８を有している。鎌係合金具２５は、平面視コ字状に形成され、化粧板２４の前記切り欠き孔２８の上方位置に、化粧板２４から室内側に突出する状態で固着してある。
【００１４】
ラッチ機構１４は、図１に示すように、錠ケース２９と、錠ケース２９内に配置された複数の可動部品を有している。錠ケース２９は、金属板を折り曲げて長方形の箱状に形成してあり、中間竪枠４ａの室外側見付面に形成した四角孔３０に室外側から挿入してネジ３１で取付けてある。
錠ケース２９内の上部位置には、錠ケース２９の側板に形成したスリット３１ａ，３１ｂにガイドして室内外方向にスライド自在に設けたトリガー１６を有している。トリガー１６は、コイルバネ３２により突出方向に向けて付勢してあり、開き戸７の閉鎖時には先端面が鎌係合金具２５に当接して錠ケース２９内に没入しており、開き戸７を開くとコイルバネ３２の付勢力により錠ケース２９から室外側に突出する。
【００１５】
トリガー１６の下方の室外側位置には、鎌片１５が、錠ケース２９に固定した左右方向の軸３３で軸支して回動自在に設けてある。鎌片１５は、室外側端部に上向きに曲がった爪部３４を有し、室内側の上部には第１連動ピン３５が挿通してあり、第１連動ピン３５はトリガー１６の下面側に形成した溝３６に係合している。第１連動ピン３５は、錠ケース２９の側板に形成したスリット３７に両端部がガイドされている。第１連動ピン３５がトリガー１６の溝３６に係合してあることで、鎌片１５はトリガー１６が開き戸７の開閉に伴って出没するのに連動して回動するようになっており、図１に示すように、開き戸７が閉鎖してトリガー１６が錠ケース２９内に没入したときには、鎌片１５は錠ケース２９から突出して爪部３４がストライク１７の鎌係合金具２５に係合し、戸７が自然に開かないように施錠される。開き戸７が開いてトリガー１６が錠ケース２９から突出したときには、鎌片１５は第１連動ピン３５が室外側に移動するために、軸３３を支点として図１の反時計回りに回動し、錠ケース２９内に収納される。
【００１６】
トリガー１６の下方の室内側位置には、連係カム３８が、錠ケース１４に固定した左右方向の軸３９で軸支して回動自在に設けてある。連係カム３８の上部には長孔４０が形成してあり、この長孔４０に第２連動ピン４１が挿通してある。第２連動ピン４１は、トリガー１６の下部にも挿通してあり、且つ両端部を錠ケース２９の側板に形成したスリット４２にガイドして室内外方向に移動自在としてある。したがって、開き戸７の開閉に伴いトリガー１６が出没すると、トリガー１６の移動に伴って鎌片１５と同じように回動する。連係カム３８の下部には、後述するラッチカム４３が係止する係止部４４を有しており、戸７が閉鎖して鎌片１５がストライク１７と係合した状態で、係止部４４にラッチカム４３が係止して鎌片１５の収納側への回動が規制されている。
【００１７】
連係カム３８の下方位置には、ラッチカム４３が、錠ケース２９に固定した左右方向の軸４５で軸支して回動自在に設けてある。ラッチカム４３は、２つのアーム４６，４７を略Ｌ字形に有しており、一方のアーム４６の先端部が連係カム３８の係止部４４に係止して連係カム３８の回動を規制するようになっており、連係カム３８の回動が規制されることでストライク１７との係合が外れる方向（図１の反時計方向）への鎌片１５の回動が規制される。他方のアーム４７の先端部には、第３連動ピン４８が挿通固着してある。ラッチカム４３は、ねじりバネ４９により、一方のアーム４６が連係カム３８に近づく、図１の時計方向に回動する向きで付勢してある。
【００１８】
ラッチカム４３の下方位置には、スライダー５０が戸先框１０の室内側見付面に対して進退自在に設けてある。スライダー５０は、コイルバネ５１により前進方向に向けて付勢してあり、室内側端部に形成した四角い孔５２に第３連動ピン４８を挿通してあり、スライダー５０が後述する連動機構２２の第３連動棒５３に先端を押されて後退すると、ラッチカム４３が図１の反時計方向に回動して一方のアーム４６の先端部が連係カム３８の係止部４４より外れ、連係カム３８及び鎌片１５が回動自在になる。スライダー５０は、室内側の下部に係止部５４が突出して形成してあり、先端部には弾力性のあるクッション材５５が取付けてある。
【００１９】
スライダー５０の下方位置には、スライダー５０が第３連動棒５３に押されて後退したときに、これを後退位置で保持するためのスライダー保持カム５６を有している。スライダー保持カム５６は、２つのアーム５７，５８を略Ｌ字形に有しており、一方のアーム５７の先端部にはスライダー５０の係止部５４が係止する第４連動ピン５９が固着してあり、他方のアーム５８は下向きに突出して後述するスライダー保持解除部材６２と係合している。第４連動ピン５９は、開き戸７の閉鎖状態ではスライダー５０の係止部５４の室内側に係止している。スライダー保持カム５６は、ねじりバネ６１により、第４連動ピン５９がスライダー５０に近づく、図１の反時計方向に回動する向きに付勢されている。
【００２０】
スライダー保持カム５６の下方位置には、スライダー保持解除部材６２が室内外方向にスライド自在に設けてある。スライダー保持解除部材６２は、棒状に形成した先端部が戸先框１０のストライク取付面（室内側見付面）に向けて突出していると共に、末端部をスライダー保持カム５６の他方のアーム５８の室内側に上向きに折り曲げて、スライダー保持カム５６を動かすための作動部６４を形成してある。作動部６４の室内側にはコイルバネ６５が配設してあり、スライダー保持解除部材６２を室外側に向けて付勢してある。
【００２１】
室外ハンドル１９は、図１に示すように、上下方向に長い棒状に形成され、中間部に取付板部６６が室内側に向けて突出して形成してある。取付板部６６には上下２本のピン６７，６８が挿通してあり、下側のピン６８を戸先框１０の室外側見付面に取付けた台座６９に挿通保持してあり、上側のピン６７は、後述する連動機構２２の第１連動棒７０と室外ハンドル１９とを繋いでいる。開き戸７を開くために室外ハンドル１９に手を掛けて室外側に引くと、室外ハンドル１９は下側のピン６８を支点として室外側に倒れ、第１連動棒７０は室外側に引っ張られる。室外ハンドル１９は、ねじりバネ７１により下側のピン６８を支点とする図１の時計方向に付勢されており、手を離した状態では垂直な状態に保持されている。
【００２２】
室内ハンドル１８は、図２と図３に示すように、ハンドル本体７２と、操作レバー７３とを有している。ハンドル本体７２は、板状に形成してあり、戸先框１０の戸内周側の見込み面にネジ７４で取付けてある。操作レバー７３は、ハンドル本体７２の室外側に配置してあり、図３（ｂ）に示すように、上部と下部から２本ずつピン７５，７６が突出しており、図２に示すように、室外側のピン７５がハンドル本体７２に取付けたブラケット７７に形成した円孔７８に挿通してあり、室内側のピン７６はブラケット７７に形成した長孔７９に挿通してある。また、室外側のピン７８にねじりバネ８０を挿通し、ねじりバネ８０の一端を室内側のピン７６に引っ掛けて、操作レバー７３を室外側に回動する向きに付勢してある。また、操作レバー７３の上面には、戸先框１０内部に向けて突出する連動レバー８１が２本のピン７５，７６を挿通して取付けてあり、連動レバー８１の先端部は、図１に示すように、第１連動棒７０の室内側端部に形成した四角い孔８２に係合している。これにより、室外ハンドル１９と室内ハンドル１９は連動する。
開き戸７を開けるために室内ハンドル１８を掴むと、図２の２点鎖線で示すように操作レバー７３が室外側のピン７８を支点として室内側に回動してハンドル本体７２と一体的になり、連動レバー８１は室外側に向けて回動し、第１連動棒７０を室外側にスライドさせる。
【００２３】
連動機構２２は、図１と図２に示すように、戸先框１０内に収納するケース８３と、ケース８３の上部に室内外方向にスライド自在に設けた第１連動棒７０と、第１連動棒７０の中間部に上端部をピン８４で連結すると共に、中間部を中間軸８５で軸支して回動自在に設けた第２連動棒８６と、第２連動棒８６の下端部にピン８７で連結し、先端部をストライク１７から室内側に突き出して第１連動棒７０と平行に設けた第３連動棒５３とを備えている。室内ハンドル１８か室外ハンドル１９を操作すると第１連動棒７０は室外側にスライドし、第２連動棒８６は図１の反時計回りに回動し、第３連動棒５３はラッチ機構１４のスライダー５０に向けて室内側に押し出される。
【００２４】
次に、ラッチ機構１４の鎌片１５により開き戸７が施錠された図１の状態から、開き戸７が開くまでの各部品の動きを図５に基づいて説明する。開き戸７を開くために室内ハンドル１８又は室外ハンドル１９を操作すると、図５（ａ）に示すように、第１連動棒７０が室外側に引っ張られ、その動きが第２連動棒８６によって第３連動棒５３に伝わり、第３連動棒５３が室内側に押し出され、スライダー５０が第３連動棒５３に先端を押されて室内側に後退する。すると、スライダー５０とラッチカム４３とが第３連動ピン４８により係合しているために、ラッチカム４３が反時計方向に回動してアーム４６が連係カム３８の係止部４４から外れる。また、スライダー５０の係止部５４がスライダー保持カム５６の第４連動ピン５９を乗り越えて該ピン５９の室内側に係止し、スライダー５０が後退位置に保持される。
【００２５】
その後、室外ハンドル１９を引くか室内ハンドル１８を押すことにより開き戸７が開き始めると、図５（ｂ）に示すように、トリガー１６が鎌係合金具２５に当接しながら次第に錠ケース２９から突き出るのに伴い、トリガー１６と第１連動ピン３５で係合した鎌片１５が反時計方向に回動して鎌係合金具２５から抜ける。また、連係カム３８もトリガー１６と第２連動ピン４１で係合しているために、鎌片１５と同じように反時計方向に回動する。このとき、スライダー５０がスライダー保持カム５６により後退位置に保持されており、スライダー５０と係合したラッチカム４３が連係カム３８の軌跡から外れた解除位置に保持されているため、連係カム３８とラッチカム４３とが衝突しない。スライダー保持解除部材６２は開き戸７とともに室外側にスライドし、これに伴って作動部６４がアーム５８を押すことによりスライダー保持カム５６が時計方向に回動し、第４連動ピン５９が係止部５４から外れてスライダー５０の後退位置での保持が解除される。
【００２６】
スライダー５０は、その後は第３連動棒５３の先端部に当接しながら室外側にスライドし、これに伴ってラッチカム４３が時計方向に回動し、図５（ｃ）に示すように、元のラッチ位置に復帰する。鎌片１５は、トリガー１６が最後まで出て鎌係合金具２５から離れた時点で、錠ケース２９内に完全に収納される。
その後、室内ハンドル１８又は室外ハンドル１９から手を離すと、図５（ｄ）に示すように、室外ハンドル１９と、室内ハンドル１８の操作レバー７３は元の位置に復帰し、これに伴って第３連動棒５３は室外側にスライドして、戸先框１０に引っ込む。
【００２７】
開き戸７は、ドアクローザ２０により自動的に閉まる。開き戸７が閉まるときには、図５（ｂ）のときと反対に、トリガー１６は鎌係合金具２５に当接しながら錠ケース２９内に没入し、鎌片１５は時計方向に回動して錠ケース２９から突出し、鎌係合金具２５に係合する。また連係カム３８も鎌片１５と同じように時計方向に回動し、その係止部４４にラッチカム４３のアーム４６先端部が係止し、連係カム３８及び鎌片１５の動きが規制され、これにより戸７が自動的に施錠される。
【００２８】
スライダー保持カム５６とスライダー保持解除部材６２は、省くこともできる。図９は、スライダー保持カム５６とスライダー保持解除部材６２を省いた場合の、図５（ｂ）に対応する開き戸７が開き始めたときの状態を示しており、スライダー５０の先端部にクッション材５５が取付けてあって、第３連動棒５３により押し込まれたときに該クッション材５５が少しくぼんで第３連動棒５３のストロークを吸収するため（図５（ａ）参照）、開き戸７が開き始めてもクッション材５５が吸収したストローク分だけ開き戸７が室外側に移動するまではスライダー５０は動き出さず、さらに、スライダー５０の室内側端部に形成してある第３連動ピン４８挿通用の孔５２が第３連動ピン４８より大きめに形成してあるために、スライダー５０が室外側にスライドし始めても第３連動ピン４８が孔５２内で移動するのでラッチカム４３はすぐには動き出さない。一方、連係カム３８はトリガー１６が開き戸７と共に室外側にスライドし始めるとすぐに反時計回りに回動を始め、ラッチカム４３がラッチ位置に復帰したときには、すでに連係カム３８の係止部４４はラッチカム４３のアーム４６の上を通過しているため、連係カム３８とラッチカム４３とが衝突して鎌片１５の収納が阻害されることがない。
【００２９】
以上、本テラス用サッシの右側の開き戸７について述べたが、左側の開き戸７は右側のものと取付け方が左右逆なだけで、ストライク１７やラッチ機構１４等は同じものを使用している。
【００３０】
以上に述べたように本テラス用サッシの開き戸７は、ラッチ機構１４を中間竪枠４ａの内部に取付け、ラッチ機構１４の鎌片１５が係合するストライク１７を戸先框１０の室内側見付面に取付けたことにより、戸先框１０の見付寸法を小さくすることができ、反対側の竪框１１も戸先框１０と同じ見付寸法であるため、室内側からの視界が竪框１０，１１によって狭められず、室内側からの眺めが良好である。また、従来の開き戸にはない細い竪框１０，１１が、シャープで洗練された印象を与える。
開き戸７はドアクローザ２０によって自動的に閉まり、閉まればラッチ機構１４の鎌片１５が錠ケース２９から突出してストライク１７の鎌係合金具２５と係合し、且つ連係カム３８とラッチカム４３とが係合することにより鎌片１５の回動が規制され、自動的に施錠できる。戸先框１０には室内及び室外ハンドル１８，１９と、両ハンドル１８，１９の操作を中間竪枠４ａ内のラッチ機構１４に伝える連動機構２２を有しているので、従来の開き戸と同じように室内室外の両側からハンドル１８，１９を操作して開き戸７を開けることができる。
また、鎌片１５がストライク１７に係合していることで、通常の開き戸のラッチボルトよりもこじ開けに対して堅固となる。さらに、鎌片１５が中間竪枠４ａの室外側見付面から突出して戸先框１０の室内側見付面に取り付けたストライク１７に係合するようにしたことで、図８に示すように、開き戸７と嵌め殺し窓を連窓にしたときに、ラッチ機構１４が隣の窓に影響を及ぼさないので、開き戸７の戸先框１０と隣の窓の竪框を合わせた見付寸法も小さくできる。また、戸先框１０と中間竪枠４ａの間の隙間から鎌片１５を破壊しようとする行為を防止できる。
【００３１】
図１０と図１１は、２枚建ての玄関引戸に本発明を適用した実施形態を示している。竪枠８８は、室外側に中空部８９を有しており、ラッチ機構１４が中空部８９内に収納して竪枠８８の内周側見込面に取付けてある。外障子９０の戸先框１０の見込み面には、ラッチ機構１４の鎌片１５が係合するストライク１７が取付けてある。なお、ラッチ機構１４とストライク１７は、取付面を見付面から見込み面にして向きを９０°変えただけで、構造は基本的に先に述べた開き戸７のものと同様であり、外障子９０を閉鎖すると、ラッチ機構１４のトリガー１６がストライク１７の鎌係合金具２５に当接して錠ケース２９内に没入し、これに連動して鎌片１５が竪枠８８見込み面から突出してストライク１７の鎌係合金具２５と係合し、外障子９０が自動的に施錠される。
【００３２】
戸先框１０の室内側には室内ハンドル１８が、室外側には室外ハンドル１９がそれぞれ取付けてある。室内ハンドル１８と室外ハンドル１９は、室内外方向の同一の軸９１回りに回動するものであり、軸９１には図１１に示すようにＬ字形に曲がった連動棒９２が取付けてあり、外障子９０を開くために、図１１の二点鎖線で示すように、室内ハンドル１８又は室外ハンドル１９を戸の開き側に倒すと、連動棒９２の先端部が戸先框１０見込み面から突出し、連動棒９２がラッチ機構１４のスライダー５０の先端を押してスライダー５０を後退させ、これにより図５（ａ）に示すように、ラッチカム４３が解除位置に移動して鎌片１５の回動の規制が解除される。
以上に述べたように、本発明を引戸に適用した場合も、竪枠８８にラッチ機構１４を、戸先框１０にストライク１７を取付けたことによる、戸先框１０の見付寸法を小さくできる効果がある。なお、実施形態のように竪枠８８に中空部８９を設けないで、ラッチ機構１４を竪枠８８から室外に突出して取付け、ラッチ機構１４をカバーで覆うようにしてもよい。
【００３３】
本発明は以上に述べた実施形態に限定されない。例えばラッチ機構１４は、連係カム３８を介さずに、ラッチカム４３を直接鎌片１５と係合して鎌片１５の動きを規制するようにすることもできる。室内、及び室外ハンドル１８，１９の形態、操作方法は適宜変更することができ、それに伴ってハンドルの操作をラッチ機構１４に伝える連動機構２２の構造も適宜変更することができる。開き戸７は、室内側に開くようにすることもできる。本発明の建具は、例えば浴室ドアや、病院のスライドドアなど、様々な用途に用いることができる。
【図面の簡単な説明】
【００３４】
【図１】図６のＣ−Ｃ断面図である。
【図２】図１のＡ−Ａ断面図である。
【図３】（ａ）は開き戸の戸先框の室内側正面図であり、（ｂ）は（ａ）のＸ矢視図である。
【図４】中間竪枠の室外側正面図である。
【図５】ラッチ機構により施錠した状態から戸が開くまでの各部品の動きを順に示す縦断面図であり、（ａ）は戸を開くために室内ハンドルまたは室外ハンドルを操作した状態、（ｂ）は戸が開き始めた直後の状態、（ｃ）は戸が開いた状態、（ｄ）は戸が開いてハンドルから手を離したときの状態を示している。
【図６】本発明の一実施形態に係るテラス用サッシの室内側正面図である。
【図７】図６のＡ−Ａ断面図である。
【図８】図６のＢ−Ｂ断面図である。
【図９】ラッチ機構のスライダー保持カムとスライダー保持解除部材を省いた場合の本発明の要部を示す縦断面図であって、戸が開き始めた直後の状態を示している。
【図１０】玄関引戸に本発明を適用した場合の要部横断面図である。
【図１１】図１０の引戸の室内ハンドル周辺部を示す正面図である。
【符号の説明】
【００３５】
４ａ  中間竪枠（竪枠）
５  枠
７  開き戸
１０  戸先框（竪框）
１４  ラッチ機構
１５  鎌片
１６  トリガー
１７  ストライク
１８  室内ハンドル
１９  室外ハンドル
２２  連動機構
３３  軸
４３  ラッチカム
５０  スライダー
５３  第３連動棒（連動棒）
５４  係止部
５６  スライダー保持カム
５９  第４連動ピン（被係止部）
６２  スライダー保持解除部材
６４  作動部
８８  竪枠
９０  外障子（引戸）
９２  連動棒
【図１】
2008019600.tif 000003
【図２】
2008019600.tif 000004
【図３】
2008019600.tif 000005
【図４】
2008019600.tif 000006
【図５】
2008019600.tif 000007
【図６】
2008019600.tif 000008
【図７】
2008019600.tif 000009
【図８】
2008019600.tif 000010
【図９】
2008019600.tif 000011
【図１０】
2008019600.tif 000012
【図１１】
2008019600.tif 000013